(57)【特許請求の範囲】
【請求項１】
ホッパーＨの下部に繰出ロールＡを配置し、該繰出ロールＡの外周の回転方向に種子嵌入凹部３を穿設し、該種子嵌入凹部３内にホッパーＨ内の複数個の種子Ｓを重力により嵌入させ、該繰出ロールＡの回転と共に、該種子嵌入凹部３内の種子Ｓに空気流を吹き付けて、余剰の種子Ｓを飛ばし１粒だけ残す構成において、前記種子嵌入凹部３を貫通する空気通過溝２を穿設したことを特徴とする播種装置。
【請求項２】
請求項１記載の播種装置において、繰出ロールＡの外周に穿設する種子嵌入凹部３を１列に併置し、該全周の種子嵌入凹部３に連通するように、空気通過溝２を全周にわたり穿設したことを特徴とする播種装置。
【請求項３】
請求項１記載の播種装置において、種子嵌入凹部３は、空気流吐出ノズル４からの空気流が吹き込む方向は、空気流吐出ノズル４の方向に傾斜させ、空気流吐出ノズル４に対向する側には、種子Ｓを係止する立面壁３ａを設けたことを特徴とする播種装置。
【発明の詳細な説明】
【０００１】
【発明の属する技術分野】
本発明は、ホッパー内の種子を１粒ずつ取り出して播種する播種装置の繰出装置の構成に関する。
【０００２】
【従来の技術】
従来から、空気流を種子嵌入凹部内に吹き付けて、種子嵌入凹部内に嵌入した複数個の種子を取出す技術は、公知とされているのである。例えば、図７に記載の如き技術である。
図７に示す技術は、繰出ロールＡ’の外周に種子嵌入凹部１５を設け、該種子嵌入凹部１５の底部に真空通路１３に連通する吸引通路１４を開口し、該種子嵌入凹部１５内に嵌入した種子Ｓの中の１粒を、該吸引通路１４を介して吸引し、その他の余剰の種子Ｓを、外部に吹き落とすために、空気流吐出ノズル１６から空気流を噴出し、吸引通路１４に吸引されている１個の種子のみが、この空気流吐出ノズル１６からの噴流による掻き落とし力を受けないので残り、その他の余剰の種子Ｓが、種子嵌入凹部１５の外部に吹き落とされるように構成していたのである。
【０００３】
【発明が解決しようとする課題】
しかし、上記従来の技術においては、繰出ロールＡ’の内部に真空通路１３を設ける必要があり、この為の真空通路１３のシール機構が複雑となり、この真空密閉機構が破壊して吸気圧が低下すると、吸引通路１４の吸引力が低下し、これが原因で、１粒の選別残留精度が低下するという不具合があったのである。また、吸引通路１４の詰まりによる精度の低下も発生し易いのである。
本発明は、出来るだけ高度な密閉精度を要求される種子の吸引という操作を止めて、精度を要しない空気流の噴出により、１粒の選別残留精度を向上させんとするものである。
【０００４】
【課題を解決するための手段】
本発明の解決しようとする課題は以上の如くであり、次に該課題を解決するための手段を説明する。
請求項１においては、ホッパーＨの下部に繰出ロールＡを配置し、該繰出ロールＡの外周の回転方向に種子嵌入凹部３を穿設し、該種子嵌入凹部３内にホッパーＨ内の複数個の種子Ｓを重力により嵌入させ、該繰出ロールＡの回転と共に、該種子嵌入凹部３内の種子Ｓに空気流を吹き付けて、余剰の種子Ｓを飛ばし１粒だけ残す構成において、前記種子嵌入凹部３を貫通する空気通過溝２を穿設したものである。
【０００５】
請求項２においては、請求項１記載の播種装置において、繰出ロールＡの外周に穿設する種子嵌入凹部３を１列に併置し、該全周の種子嵌入凹部３に連通するように、空気通過溝２を全周にわたり穿設したものである。
【０００６】
請求項３においては、請求項１記載の播種装置において、種子嵌入凹部３は、空気流吐出ノズル４からの空気流が吹き込む方向は、空気流吐出ノズル４の方向に傾斜させ、空気流吐出ノズル４に対向する側には、種子Ｓを係止する立面壁３ａを設けたものである。
【０００７】
【発明の実施の形態】
次に本発明の実施の形態を説明する。
図１は本発明の播種装置を装着したトラクタの全体側面図、図２は本発明の播種装置の要部を示す斜視図、図３は同じく本発明の播種装置の主要部を示す側面断面図、図４は繰出ロールＡの外周に穿設した種子嵌入凹部３の平面図、図５は同じく繰出ロールＡの外周に穿設した種子嵌入凹部３の側面断面図、図６は種子嵌入凹部３の内部に嵌入した複数の種子が吹き出される状態を示す斜視図、図７は従来の繰出ロールＡ’における種子嵌入凹部１５と吸引通路１４の構成を示す側面断面図である。
【０００８】
図１において、本発明の播種装置をトラクタの後部に装着した状態を説明する。トラクタＴの後部に設けた作業機装着装置にまずロータリ耕耘装置Ｒを装着する。該ロータリ耕耘装置Ｒにより耕耘した後の土壌に、本発明の播種装置により繰り出した種子Ｓを播種するのである。
本発明の播種装置は、接地駆動輪９と鎮圧輪１０と作溝器１２と覆土板１７を播種フレーム１１に支持している。該接地駆動輪９を土壌に接地することにより、播種装置の駆動回転力をえて、繰出ロールＡを駆動回転している。該播種フレーム１１の中央部に本発明の要部であるホッパーＨと繰出ロールＡよりなる繰出装置を配置している。
該繰出装置に向けて、ブロワファン５から高圧空気を空気流吐出ノズル４を介して噴出させている。該ブロワファン５はトラクタＴの側からの駆動力により回転している。
【０００９】
次に図２と図３により、本発明の播種装置の要部の構成を説明する。
繰出ロールＡを前部に配置し、後部にホッパーＨを配置し、繰出ロールＡとホッパーＨを前後に併置した構成としている。そしてホッパーＨの下端を繰出ロールＡの上面ではなくて、後面に向けて開口し、ホッパーＨ内の種子Ｓを、図３に示す如く、側面視で反時計方向に回転する繰出ロールＡが、上方向回転側の上昇する際において種子嵌入凹部３の内部に取り込むように構成している。
【００１０】
該ホッパーＨ内の種子Ｓが、繰出ロールＡの種子嵌入凹部３に嵌入するのは、重力により落ち込むことによる。そして、必要以上の種子Ｓが繰出ロールＡの上方へ移動するのを阻止する調節シャッター１が、ホッパーＨと繰出ロールＡの間の上方に配置されている。
そして、繰出ロールＡの外周に設けられた種子嵌入凹部３に嵌入した種子Ｓは、空気流吐出ノズル４からの噴流により、１粒のみが残されて、繰出ロールＡの周囲に配置されたガイド板７の内側に保持された状態で下降し、繰出ロールＡの下端の位置で、ガイド板７から解放されて、作溝器１２により構成した土壌面の溝内に落下すべく構成している。
【００１１】
前記ガイド板７の上部が途中から立設された構成となっており、該部分が空気流吐出ノズル４の後端の固定部分７ａを兼用している。更に、ガイド板７の延長部分が、繰出ロールＡの上部まで延長されて、選別室の上面閉塞板７ｂを兼用している。該繰出ロールＡの上面に、空気流吐出ノズル４の先端が突出しており、ブロワファン５からの高圧空気を噴出して、種子嵌入凹部３内の１粒を除いて、繰出ロールＡ上面の余剰種子Ｓを吹き飛ばすのである。また種子Ｓの中でも、軽いものや異常な種子Ｓを、吹き飛ばすことにより、種子Ｓの選別を行なうのである。繰出ロールＡは、ロール駆動軸６を介して、接地駆動輪９からの動力により駆動回転する構成としている。
【００１２】
次に図４・図５・図６において、種子嵌入凹部３と空気通過溝２と種子Ｓの関係を説明する。
種子嵌入凹部３は単に丸い穴ではなくて、空気流吐出ノズル４と逆の側が直線的円弧３ｂに構成されており、該直線的円弧３ｂの部分の壁は立面壁３ａに構成されている。
逆に空気流吐出ノズル４に近い方の側は、突起的円弧３ｄに構成されており、壁は空気流吐出ノズル４に噴出方向と同じ方向の壁面３ｃに構成されている。
【００１３】
そして、平面から見て突起的円弧３ｄと直線的円弧３ｂにより、ドングリ状に構成し、側面断面から見て、空気流吐出ノズル４に噴出方向と同じ方向の壁面３ｃと立面壁３ａからなる特異な構造の穴とされた種子嵌入凹部３の中央部に、円周方向にスリットである空気通過溝２が穿設されている。該空気通過溝２は種子Ｓの直径よりも小であり、空気通過溝２内に種子Ｓが嵌入することの無い幅としている。
【００１４】
該空気通過溝２は繰出ロールＡの全周にわたり、複数の種子嵌入凹部３の中央を貫通して連通された円周溝に構成されており、空気流吐出ノズル４からの圧力空気が逃げることの可能な溝としている。
このような構成の種子嵌入凹部３内に、図６の如く、複数の種子Ｓが重力により落下するのである。従来はこの種子嵌入凹部３内に嵌入した複数の種子Ｓを外周に配置したブラシにより掻き落として、１粒のみを残す操作をしていたのである。しかし、ブラシにより種子Ｓを傷めたり、コーティング種子の場合は、コーティング被覆を破壊したりしていたのである。
【００１５】
本発明は、種子嵌入凹部３内に設けた空気通過溝２と空気流吐出ノズル４からの圧力噴流により、１粒のみを残すように構成したものである。
種子嵌入凹部３内に嵌入した種子に対して、空気流吐出ノズル４から圧力噴流を当てた場合には、全ての種子Ｓが吹き出し力を受けそうであるが、該空気流吐出ノズル４から吹き出した噴流が、種子Ｓの下から、上方へ押し上げ力を発揮する位置に、吹き込んだ場合に初めて、種子Ｓを種子嵌入凹部３の外に吹き出す力が発揮されるのである。
【００１６】
故に、種子嵌入凹部３の最も奥の位置で、空気流吐出ノズル４に噴出方向と同じ方向の壁面３ｃと立面壁３ａの境の部分に配置された１粒だけは、空気流吐出ノズル４から圧力流が吹き付けられても、該圧力空気は下面の空気通過溝２から他の種子嵌入凹部３の穴に抜けることが出来るので、その上の１粒のみに対しては、上方への押し出し力が作用しないのである。
【００１７】
また、該最も奥の位置の１粒には、立面壁３ａによる、該位置への保持力が作用しており、この力と、圧力空気による押し出し力が弱いという両者の力関係から、この奥の１粒だけは上方へ押し出されないのである。
その他の位置の種子嵌入凹部３内に嵌入している種子Ｓは、空気通過溝２から外れている為に、圧力空気が下から押し上げる方向に吹き上げており、また立面壁３ａによる保持力が働かず、他の種子Ｓとの間で接当している押圧力のみであるから、空気流により押されて転がり、種子嵌入凹部３から出て行くのである。
【００１８】
以上の如く、本発明は種子を選別し、決められた粒数を繰り出す装置であり、円筒状のロールの周囲に選別する種子の大きさ・形状に合った種子嵌入凹部３を設け、この種子嵌入凹部３が回転し、ホッパーＨから供給された種子Ｓが種子嵌入凹部３に落ち込んで粒数を選別する。種子嵌入凹部３に重力で落ち込んだ種子は、１つの種子嵌入凹部３に１個の種子を最終的に残すことになるが、従来はブラシを使って余分な種子を掻き落としていたが、本発明の場合には、この掻き落としを空気の噴流により行なうものである。
ロールの外周面には種子嵌入凹部３を貫通するように空気通過溝２を切り、空気の噴流の逆流による１粒のみは種子の飛散を防止しているのである。
【００１９】
【発明の効果】
本発明は以上の如く構成したので、次のような効果を奏するのである。
請求項１の如く、ホッパーＨの下部に繰出ロールＡを配置し、該繰出ロールＡの外周の回転方向に種子嵌入凹部３を穿設し、該種子嵌入凹部３内にホッパーＨ内の複数個の種子Ｓを重力により嵌入させ、該繰出ロールＡの回転と共に、該種子嵌入凹部３内の種子Ｓに空気流を吹き付けて、余剰の種子Ｓを飛ばし１粒だけ残す構成において、前記種子嵌入凹部３を貫通する空気通過溝２を穿設したので、従来の如くブラシによる掻き落としの如く、粒径選別の際において、ブラシが種子と接触することが無いので、種子の表面を傷めることが無くなったのである。
【００２０】
請求項２の如く、請求項１記載の播種装置において、繰出ロールＡの外周に穿設する種子嵌入凹部３を１列に併置し、該全周の種子嵌入凹部３に連通するように、空気通過溝２を全周に渡り穿設したことにより、空気の噴流による掻き落としであるので、種子の形状が複雑な場合においても、１粒ずつの精密な播種が可能となったのである。
【００２１】
請求項３の如く、請求項１記載の播種装置において、種子嵌入凹部３は、空気流吐出ノズル４からの空気流が吹き込む方向は、空気流吐出ノズル４の方向に傾斜させ、空気流吐出ノズル４に対向する側には、種子Ｓを係止する立面壁３ａを設けたので、空気流吐出ノズル４からの空気流の押し出し力に対し、確実に１粒のみを保持する力を立面壁３ａにより与えることができ、１粒の選別が精度よく行なわれるのである。
【図面の簡単な説明】
【図１】  本発明の播種装置を装着したトラクタの全体側面図。
【図２】本発明の播種装置の要部を示す斜視図。
【図３】同じく本発明の播種装置の主要部を示す側面断面図。
【図４】繰出ロールＡの外周に穿設した種子嵌入凹部３の平面図。
【図５】同じく繰出ロールＡの外周に穿設した種子嵌入凹部３の側面断面図。
【図６】種子嵌入凹部３の内部に嵌入した複数の種子が吹き出される状態を示す斜視図。
【図７】従来の繰出ロールＡ’における種子嵌入凹部１５と吸引通路１４の構成を示す側面断面図。
【符号の説明】
Ａ  繰出ロール
Ｈ  ホッパー
２  空気通過溝
３  種子嵌入凹部
３ａ  立面壁
３ｂ  直線的円弧
３ｃ  空気流吐出ノズルに噴出方向と同じ方向の壁面
３ｄ  突起的円弧
４  空気流吐出ノズル
５  ブロワファン
７  ガイド板
【図１】
0003665129.tif 000002
【図２】
0003665129.tif 000003
【図３】
0003665129.tif 000004
【図４】
0003665129.tif 000005
【図５】
0003665129.tif 000006
【図６】
0003665129.tif 000007
【図７】
0003665129.tif 000008